(57)【要約】  【課題】  構造物の風荷重の負荷を低減でき、建造物の部材に直接取り付けることが出来る電波吸収パネル及びその固定方法を提供する。  【解決手段】  電波吸収体１を複数枚面状に配置し、それを繊維強化樹脂層２，２’で被覆した複合構造のパネルであって、電波到来方向と反対側の繊維強化樹脂層２’と電波吸収体１の間に補強プレート３を配置し、その補強プレート３を介して繊維強化樹脂層２’の下面に補剛用下地材４を接合固着すると共に、電波吸収パネルを構造物の鉛直面に取り付けた時、電波吸収体の鉛直荷重を支える支承片１０をパネル内部に備えている。【選択図】  図１
2006045765.tif 000002
【特許請求の範囲】
【請求項１】
電波吸収体を複数枚面状に配置し、それを繊維強化樹脂層で被覆した複合構造のパネルであって、電波到来方向と反対側の繊維強化樹脂層と電波吸収体の間に補強プレートを配置し、その補強プレートを介して繊維強化樹脂層の下面に補剛用下地材を接合固着すると共に、電波吸収パネルを構造物の鉛直面に取り付けた時、電波吸収体の鉛直荷重を支える支承片をパネル内部に備えていることを特徴とする電波吸収パネル。
【請求項２】
前記支承片は、前記補強プレートに一体に形成されていることを特徴とする請求項１記載の電波吸収パネル。
【請求項３】
前記支承片の役割を、前記パネルにおける電波吸収体の角部が交差する部位に後付け装着するインサートナットが受け持つことを特徴とする請求項１記載の電波吸収パネル。
【請求項４】
前記複合構造のパネルは、少なくとも鉛直面への取付け時、構造物の水平面に対して係着する上側片を一体に備えることを特徴とする請求項１乃至３記載の電波吸収パネル。
【請求項５】
前記電波吸収パネルを構成する電波吸収体が方形で、その四隅部を切欠き形成した電波吸収体を縦横に接合して敷設配置し、該電波吸収体の交差部に前記切り欠き部で区画された空間部により表裏の繊維強化樹脂層を一体化したことを特徴とする請求項１乃至３の何れか1項記載の電波吸収パネル。
【請求項６】
前記請求項１乃至４の何れか１項記載の電波吸収パネルを構造物の鉛直面に設置固定する方法であって、該パネルの電波到来方向と反対側に設けた補剛用下地材を、構造物に設置した水平部材に係合載置してパネルの鉛直荷重を水平部材で支持し、且つ構造物に起立固定した止め具を補剛用下地材を貫通してパネル表面に突出させ、前記止め具に締め具を締着して固定することを特徴とする電波吸収パネルの固定方法。
【請求項７】
前記止め具は、パネルを構成する電波吸収体の接合交差部を埋める繊維強化樹脂層に貫通されていることを特徴とする請求項６記載の電波吸収パネルの固定方法。
【発明の詳細な説明】
【技術分野】
【０００１】
本発明は、テレビ地上波や航空誘導電波等の反射障害を防止する電波吸収パネル及びその電波吸収パネルの固定方法に関し、詳しくは電波吸収パネルを構成する電波吸収体の鉛直荷重の支持（負担）と、電波吸収パネルを構造物（鉄橋や高架道等）の鉛直面に固定する際に該パネルの鉛直荷重の支持（負担）の改良に関する。
【背景技術】
【０００２】
超高層ビルや鉄塔などの高層建造物の壁面によるテレビ地上波や航空誘導電波等の反射障害を防止する手段として、各種の電波吸収パネルが開発され、更に構造物、特に鉄橋（高架橋）や高架道等に対する電波吸収パネルの固定方法も研究開発されている。
【０００３】
一般に、テレビ電波におけるＶＨＦ帯（９０ＭＨｚ〜２２２ＭＨｚ）やＵＨＦ帯（４７０ＭＨｚ〜７７０ＭＨｚ）の電波障害対策用として一般的に用いられる電波吸収体はフェライトタイルで、反射減衰量１５ｄＢ以上の優れた電波吸収性能を有する。
【０００４】
しかしながら、上記フェライトタイルは１００ｍｍ角以上の大きなものは製造上難しい。その為、フェライトタイルの使用方法は、コンクリートの中に内蔵する形態、或いは外装材の磁器タイルの裏側に配置するなどの形態が一般的である。
しかし、上記した構造の電波吸収用パネルは、外側表面に配置される磁器タイル及び中間のコンクリート叉はモルタル等が障害となって、フェライトタイルが有する電波吸収性能が低下する。叉、重量が重くなるといった欠点を有する。
【０００５】
そこで、上記従来の問題点を解決するものとして、金属反射板に電波吸収体（フェライトタイル）を積層し、さらにその上にプラスチック板を積層した構造の電波吸収板が提案されている（例えば、特許文献１参照）。
【０００６】
【特許文献１】特開２００１−９４３４２号公報
【０００７】
しかし、上記特許文献１記載の電波吸収板は、風荷重及び鉛直荷重（鉛直取付状態で建造物に掛かる荷重）が増大するので、構造物の設計自体が過大になるきらいがあった。
【発明の開示】
【発明が解決しようとする課題】
【０００８】
本発明は、上記した従来の技術が有する問題点に鑑みてなされたもので、その目的とするところは、構造物の風荷重の負荷を低減できる電波吸収パネルを提供することにある。
叉、他の目的は建造物の部材に直接取り付けることが出来る電波吸収パネル及びその固定方法を提供することにある。
【課題を解決するための手段】
【０００９】
上記目的を達成する為に本発明の電波吸収パネルは、電波吸収体を複数枚面状に配置し、それを繊維強化樹脂層で被覆した複合構造のパネルであって、電波到来方向と反対側の繊維強化樹脂層と電波吸収体の間に補強プレートを配置し、その補強プレートを介して繊維強化樹脂層の下面に補剛用下地材を接合固着すると共に、電波吸収パネルを構造物の鉛直面に取り付けた時、電波吸収体の鉛直荷重を支える支承片をパネル内部に備えていることを特徴とする（請求項１）。
【００１０】
電波吸収パネルを構成する電波吸収体としては、フェライト板が好適で、そのフェライト板の大きさは例えば１００ｍｍ×２００ｍｍ×６ｍｍの矩形状とし、この電波吸収体を縦横方向に密着させて配設する。
上記電波吸収体の表裏面を被覆する繊維強化樹脂層は、ガラス繊維やビニロン繊維等、非導電性の繊維で、しかも機械的強度を高めることができる繊維を使用し、これにエポキシ樹脂やポリエステル樹脂等の熱硬化性樹脂を含浸させて直線平面状に成形したもので、繊維強化樹脂板である。
【００１１】
上記補強プレートは厚さが２〜３ｍｍ程度の金属製平板を使用し、その補強プレートを縦横に密着敷設した電波吸収体と下側の繊維強化樹脂材との間に配置する。その配置の形態としては、例えば、パネルの縦方向に沿って電波吸収体の二列の間に一枚の補強プレートを配置し、この補強プレートを介して下側の繊維強化樹脂層の下面に補剛用下地材をビス止め固定する。補剛用下地材としては、軽量形鋼（Ｃ形鋼、角形鋼等）が好適である。
叉、上記支承片は該パネルを鉛直状に取り付けた時、内部に敷設配置した電波吸収体の鉛直荷重がそれぞれ下位に位置する電波吸収体に負荷として作用しないように支えるもので、その内蔵の形態は前記補強プレートに一体に設ける形態（請求項２）、或いは補強プレート以外の後付けする部材、例えばインサートナット（請求項３）等、何れでもよい。
【００１２】
上記手段によれば予め成形した繊維強化樹脂板を使用し、乾式によりパネルを構成する為、生産性に優れる。そして、そのパネルには構造物に対して係着する補剛用下地材が一体的に固着されていることで、構造物に直接パネルを取り付けることが可能となる。しかも、パネルを構成する電波吸収体の重量及び取付時の鉛直荷重は支承片を介して補剛用下地材が受ける為、電波吸収体自体に負荷が作用せず、安定した品質の電波吸収パネルを提供できる。
【００１３】
そして、前記支承片を補強プレートに一体に形成した場合は、該支承片が電波吸収体を配列する時の位置決めにもなり、パネル組立にも有効に作用する。叉、支承片を後付けのインサートナットで行うようにした場合は、市販のインサートナットを利用できる為、製作コストを低減することができる。
【００１４】
叉、上記した複合構造のパネルは、少なくとも鉛直面への取付け時、構造物の水平面に対して係着する上側片を一体に備えた構成としてもよい（請求項４）。
この場合は、パネル自体の鉛直荷重が、構造物の水平面と係着すると上側辺、補剛用下地材で支持される為、該パネルを構造物に対して定着するボルトにはせん断力は作用せず、従って、構造物への取付を簡便に行うことが出来る。
【００１５】
更に、前記電波吸収パネルを構成する電波吸収体を方形（矩形）とし、その四隅部を切欠き形成した電波吸収体を縦横に接合して敷設配置し、該電波吸収体の交差部に前記切り欠き部で区画された空間部に、構造物側に固定したボルト等を挿通し、該ボルトにナットを締着して表裏の繊維強化樹脂層を一体化してもよい（請求項５）。この場合は、パネルの完成と、該パネルの取付固定を一挙に行うことができる。
【００１６】
また、上記の如く構成した電波吸収パネルを構造物の鉛直面に接地固定する方法は、該パネルの電波到来方向と反対側に設けた補剛用下地材を、構造物に設置した水平部材に係合載置してパネルの鉛直荷重を水平部材で支持し、且つ構造物に起立固定した止め具を補剛用下地材を貫通してパネル表面に突出させ、前記止め具に締め具を締着して固定することを特徴とする（請求項６）。
上記止め具は、パネルを構成する電波吸収体の接合交差部を埋める繊維強化樹脂層に貫通配置してもよい（請求項７）。
この方法によれば、パネルを構成する電波吸収体の重量（取付時の鉛直荷重を含む）は、補剛用下地材を介して構造物に伝達される為、構造物に起立固定される止め具（スタッドボルト等）には過大な負荷は作用せず、パネルの固定を簡単な構成で安全に行うことが出来る。
【発明の効果】
【００１７】
本発明の電波吸収パネルは請求項１記載の構成により、構造物に対して係着する補剛用下地材が一体的に固着されていることで、構造物に直接パネルを取り付けることが可能となる。しかも、パネルを構成する電波吸収体の重量及び取付時の鉛直荷重は支承片を介して補剛用下地材が受ける為、電波吸収体自体に負荷が作用せず、安定した品質の電波吸収パネルを提供できる。
叉、請求項２記載の構成により、支承片が電波吸収体を配列する時の位置決めになり、パネル組立に有効に作用する。
更に、請求項３記載の構成により、市販のインサートナットを利用できる為、パネルの製作コストを低減することができる。
更に叉、請求項４記載の構成により、該パネルを構造物に対して定着するボルトにはせん断力は作用せず、従って、パネル固定部の耐久性を高めることが出来る。
【００１８】
また、請求項５記載の構成により、パネルの完成と、該パネルの取付固定を一挙に行うことができる。
さらに、請求項６、７記載の固定方法により、パネルを構成する電波吸収体の重量（取付時の鉛直荷重を含む）を、補剛用下地材を介して構造物に伝達でき、従って、電波吸収パネルを構造物に対し鉛直に定着するために該構造物に起立固定される止め具（スタッドボルト等）には過大な負荷は作用せず、パネルの固定を簡単な構成で安全に行うことが出来る。
【発明を実施するための最良の形態】
【００１９】
以下、本発明の実施の形態を図面に基づいて説明する。
図１（ａ）は本発明に係る電波吸収パネルＡの外観図で、平面矩形状を呈した電波吸収体１を縦・横を密着させて格子状に敷設し、その電波吸収体１の表裏面を、繊維強化樹脂板２，２’で被覆し、且つ裏側（電波到来方向と反対側）の繊維強化樹脂板２’と前記電波吸収体１との間には補強プレート３を挟入配置し、更に前記裏側の繊維強化樹脂板２’の下面には構造物Ｂの水平部材に当接係合する補剛用下地材４が前記補強プレート３を利用して固着されており、表側の繊維強化樹脂板２は補剛用下地材４に貫通螺合する固定ボルト５で締着固定され、更に該パネルの上・下には構造物Ｂの上下の水平部材ｂ，ｂ’に対して係合する上側片Ａ’と下側片Ａ”が内側（補剛用下地材が固着された側）に向けて直角水平に連設されている。
【００２０】
電波吸収パネルＡを構成する電波吸収体１は、矩形平板状のフェライト板（例えば、横：１００ｍｍ、縦：２００ｍｍ、厚さ：６ｍｍ）で、これをその周縁を接合させて縦横に配列（図面は６行×６列）し、１枚のパネルが構成されている。
叉、電波吸収体１は四隅部（角部）を４５°の斜線で切欠き形成し、それにより電波吸収体の交差部に平面略四角形の空間部６が区画形成されるようにし、この空間部６を利用して構造物Ｂに熔接固定したパネル固定用スタッドボルト７が挿通され、パネルＡ表面より前記パネル固定用スタッドボルト７にナット７’を螺合締め付けて構造物Ｂに電波吸収パネルＡを固定し得るように構成されている。
【００２１】
電波吸収体１の表裏面を被覆する繊維強化樹脂板２，２’は、非導電性の繊維、例えば、ガラス繊維のシート或いはマットにエポキシ樹脂やポリエステル樹脂を含浸させて平板パネル状に成形したもので、予め所定の大きさ（例えば、６１０ｍｍ×１２３０ｍｍ）に成形し、乾式工法により電波吸収パネルＡを構成できるようにしてある。尚、この繊維強化樹脂板２，２’は間に電波吸収体１や補強プレート３を挟み、下側には補剛用下地材４を接合配置し、これらをビスやボルトナットで定着するが、そのビスやボルトが通る孔はパネルの設計図に基づいてパネル成型時に加工してもよいが、電波吸収体１は寸法にバラツキがあるため、この寸法のバラツキによる影響を少なくする為に、パネル組立時に孔明け加工をするようにしてもよい。
【００２２】
叉、繊維強化樹脂板２，２’は、図１（ｂ）に示すように、電波吸収パネルＡの上下端部にそれぞれ構造物Ｂの水平部材ｂ，ｂ’に対して当接係合する上側片Ａ’と下側片Ａ”を一体に備える場合は、前記繊維強化樹脂板２，２’の上下端にそれぞれ直角内向きに突片８が一体に形成されている。
【００２３】
補強プレート３は、金属平板を所定幅の帯板状に裁断したもので、前記した下側の繊維強化樹脂板２’を補剛用下地材４にビス９でビス止めする為の座金的役割と、該繊維強化樹脂板２’上に敷設する電波吸収体１の配列形態を維持するのに作用する。尚、補強プレート３は、帯板状のものを電波吸収体１の二列に跨って配置（図示は３本）しているが、繊維強化樹脂板２’と略同形に形成し、繊維強化樹脂板２’の全面を覆い、敷設される電波吸収体１の全部を支持するようにしてもよい。叉、電波吸収パネルＡが上側片Ａ’と下側片Ａ”を有する場合は、補強プレート３も上下に直角方向への突出部を延長形成し、それにより上側片Ａ’と下側片Ａ”の形状保持が安定して行われるようになる
【００２４】
そして、繊維強化樹脂板２，２’間に配設挟持した電波吸収体１は、完成した電波吸収パネルＡを構造物Ｂに対して鉛直に取り付けた時、該繊維強化樹脂板２，２’間で垂直方向（下方向）に荷重が作用し、最下段に位置する電波吸収体１にその上位に配置された電波吸収体１の全重量が掛かることになる。この鉛直荷重による損傷等を防止する為、個々の電波吸収体１の鉛直荷重が他の電波吸収体１に掛からないようにする為、各電波吸収体１を支える支承片１０がパネル内、即ち、表裏の繊維強化樹脂板２，２’間に収容装備されている。
【００２５】
その支承片１０の具体的構造は、図２乃至図６に示すように前記した補強プレート３に形成する方法である。
補強プレート３に支承片１０を形成する方法としては、前記した電波吸収体１の角部を支える突片１０ａを、該補強プレート３に切り込みを入れ、その切り込みで区画された部分を切り起こして形成する方法、或いは電波吸収体１を配列して交差部に出来る菱形の空間部６に嵌入する同形の短筒を別途形成し、これを補強プレート３上の所定箇所に熔接等で固定する方法等が挙げられる。尚、支承片１０を補強プレートへの切り込みによって形成した場合は、その支承片１０で区画された内部に通孔１１ができ、その通孔１１は電波吸収パネルＡを構造物Ｂに取り付ける際のパネル固定用スタッドボルト７が挿通される孔として使用できる。支承片１０を補強プレート３とは別材で構成した場合は、その支承片の中央にパネル固定用スタッドボルト７が挿通される孔を別途加工する必要がある。
【００２６】
支承片１０を補強プレート３に突片１０ａを設けずに形成する方法としては、図７に示すように市販品のインサートナット１２を使用する方法が挙げられる。この場合は、パネルの組立完了後、電波吸収体１の交差部中心に、該インサートナット１２の軸部１２’外径より小径の孔を表面の繊維強化樹脂板２から補剛用下地材４に亘って開設し、その孔にインサートナット１２を捩じ込み固定する。そして電波吸収パネルＡを貫通するインサートナット１２の軸部１２’の外周面が電波吸収体１の鉛直荷重を支える支承片として作用する。尚、インサートナット１２の中心孔はパネル固定用スタッドボルト７を挿通する孔として使用することができる。
【００２７】
次に、上記した電波吸収パネルＡの組立工程を図８に基づいて説明する。本発明に係る電波吸収パネルＡは構成部材を順次積層組み付ける乾式工法によって完成される。
先ず、図８（ａ）に示すように、裏側の繊維強化樹脂板２’の表面側に補強プレート３を所定間隔をおいて並設し、繊維強化樹脂板２’の裏側には補剛用下地材４を前記補強プレート３の下方に位置させて配置し、補強プレート３側からビス９を補強プレート３、繊維強化樹脂板２’を貫通して補剛用下地材４に捩じ込み、繊維強化樹脂板２’と補剛用下地材４を一体化する。
次に、図８（ｂ）に示すように、繊維強化樹脂板２’の表面側に電波吸収体１を敷設配置する。この時、繊維強化樹脂板２’上に並設した補強プレート３に設けた支承片１０を構成する突片１０ａに電波吸収体１の角部を当接させて配置する。
そして、図８（ｃ）に示すように、表側の繊維強化樹脂板２を敷設配置した電波吸収体１の上に積層し、表面側から固定ボルト１３を繊維強化樹脂板２、電波吸収体１、補強プレート３及び繊維強化樹脂板２’を貫通して最下層の補剛用下地材４に捩じ込み、表面側の繊維強化樹脂板２を固定する。尚、固定ボルト１３の取付箇所は図１（ａ）に示すように電波吸収体１の接合線上とし、その取付箇所には座金１４を配置する。
【００２８】
上記の如く、乾式工法により組立完成した電波吸収パネルＡは、施工現場の構造物Ｂに予め熔接等によって固定したパネル固定用スタッドボルト７に、該パネルＡにおける電波吸収体の接合で区画された空間部６を合致させ挿通し、パネルＡ表面側に突出したパネル固定用スタッドボルト７に座金１５を介してナット７’を螺合締め付けて取付を完了する。
そして、上記電波吸収パネルＡには裏側に補剛用下地材４が一体に固着されており、その補剛用下地材４の下端が構造物Ｂの水平部材ｂ’に当接する為、パネルＡの鉛直荷重は補剛用下地材４と水平部材ｂ’で受け止められる。即ち、パネル固定用スタッドボルト７にはパネルＡの鉛直荷重によるせん断力は作用しない。
従って、電波吸収パネルＡを構造物Ｂに取り付けているパネル固定用スタッドボルト７には該パネルＡが構造物Ｂから離れないように押え付けておくだけの強度があればよい。
【００２９】
本発明は、図示した実施の形態に限定されるものではなく、本発明の要旨を変更しない範囲で適宜変更可能である。
（１）敷設した電波吸収体１は、その上面に積層する繊維強化樹脂板２を固定することで同時に固定しているが、電波吸収板１を座金を介して直接ボルト止めしてもよいものである。
（２）電波吸収パネルＡの上下端部に上側片Ａ’、下側片Ａ”を連設しているが、パネルの鉛直荷重を支持する目的からすれば、少なくとも上側片Ａ’のみでもよい。
（３）電波吸収パネルを断熱材付きとする場合は、断熱材は電波吸収体１と表面側の繊維強化樹脂板２との間に介在する。その場合、敷設した電波吸収体１は予め薄手の繊維強化樹脂板を介してボルト止めして固定してもよい。
【産業上の利用可能性】
【００３０】
本発明に係る電波吸収パネルは、自重が重い場合でも取付時の鉛直荷重が構造物の水平部材で支持され、安全に構造物に固定できる為、高架橋等の電波障害対策用として非常に有効である。
【図面の簡単な説明】
【００３１】
【図１】（ａ）は電波吸収パネルの外観を示す一部切欠正面図、（ｂ）は構造物への取付状態を示す正面図。
【図２】電波吸収パネルの取付状態における一部切欠拡大図。
【図３】電波吸収パネルの上端部と構造物との係合状態を示す部分拡大断面図。
【図４】電波吸収パネルの下端部と構造物との係合状態を示す部分拡大断面図。
【図５】（ａ）は電波吸収パネルの上端部を示す一部切欠正面図、（ｂ）は（ａ）図の（ｘ）−（ｘ）線に沿える横断面図。
【図６】電波吸収パネルの要部を示す分解斜視図。
【図７】電波吸収体の鉛直荷重を支持する支承片の他の例を示す部分断面図。
【図８】電波吸収パネルの組立工程を示す説明図。
【符号の説明】
【００３２】
Ａ…電波吸収パネル              Ａ’…電波吸収パネルの上側片
Ａ”…電波吸収パネルの下側片        Ｂ…構造物
１…電波吸収体              ２，２’…繊維強化樹脂層（繊維強化樹脂板）
３…補強プレート                  ４…補剛用下地材
７…パネル固定用スタッドボルト  １０…支承片
【図１】
2006045765.tif 000003
【図２】
2006045765.tif 000004
【図３】
2006045765.tif 000005
【図４】
2006045765.tif 000006
【図５】
2006045765.tif 000007
【図６】
2006045765.tif 000008
【図７】
2006045765.tif 000009
【図８】
2006045765.tif 000010